(57)【特許請求の範囲】
【請求項１】
プッシュ型の情報配信媒体から一方的に配信されるプッシュ型情報が入力されるプッシュ型情報用インターフェースと、
プル型の情報配信媒体からプル型情報およびその要約が入力されるプル型情報用インターフェースと、
前記入力された各プッシュ型情報に所定の共通フォーマットで記述された要約を抽出する要約抽出手段と、
前記抽出した要約を記憶する要約記憶手段と、
検索条件を入力する検索条件入力手段と、
前記検索条件に合致した、前記所定の共通フォーマットで記述されたプル型情報の要約を、前記プル型情報用インターフェースを介して取得する要約取得手段と、
前記要約記憶手段に既登録の要約から、前記検索条件に合致したプッシュ型情報の要約を検索する要約検索手段と、
前記検索されたプッシュ型情報の要約、および前記検索条件に合致してプル型の情報配信媒体から取得したプル型情報の要約を一覧表示する要約一覧表示手段と、
前記プッシュ型の情報配信媒体から取得したプッシュ型情報を記憶する情報記憶手段と、
前記一覧表示された要約のいずれかを指定する要約指定手段と、
前記指定された要約に対応した情報を取得する情報取得手段と、
前記取得した情報を、そのフォーマットに応じた表示形式で表示させる表示制御手段とを具備し、
前記情報取得手段は、前記指定された要約に対応した情報が、前記情報記憶手段に既登録の情報であれば当該既登録情報を取得し、未登録のプル型情報であれば、前記プル型情報用インターフェースを介してプル型の情報配信媒体から取得することを特徴とする情報検索表示装置。
【請求項２】
前記情報取得手段により取得されたプル型情報が、前記情報記憶手段に記憶されることを特徴とする請求項１に記載の情報検索表示装置。
【請求項３】
前記プッシュ型の情報発信媒体は放送であることを特徴とする請求項１または２に記載の情報検索表示装置。
【請求項４】
前記プル型の情報発信媒体は、公衆回線利用の情報提供サービス、インターネットおよびディスク状記憶媒体の少なくとも一つであることを特徴とする請求項１ないし３のいずれかに記載の情報検索表示装置。
【請求項５】
前記情報または要約の取得に費用が発生する情報配信媒体へのアクセス時に、その許否を事前に問い合わせることを特徴とする請求項１ないし４のいずれかに記載の情報検索表示装置。
【請求項６】
前記情報または要約の取得に費用が発生する情報配信媒体へのアクセスが拒否されると、費用が発生しない情報配信媒体の情報およびその要約を検索対象とすることを特徴とする請求項５に記載の情報検索表示装置。
【請求項７】
前記要約の一覧表示は、各要約の要部のみが一覧表示されることを特徴とする請求項１ないし６のいずれかに記載の情報検索表示装置。
【発明の詳細な説明】
【０００１】
【発明の属する技術分野】
本発明は、複数の異なるメディアを利用して多種多様な形式（フォーマット）で提供される情報から所望の情報を検索して表示する情報検索表示装置に係り、特に、メディアやデータフォーマットの違いをユーザに意識させることなく、各種の情報を統合的に取り扱うことを可能にした情報検索表示装置に関する。
【０００２】
【従来の技術】
今日のマルチメディア時代においては、複数の異なるメディアから多種多様の情報が専用の形式（フォーマット）で提供され、各情報を閲覧・検索するためには専用のビュアー（表示機能）が必要となる。
【０００３】
【発明が解決しようとする課題】
上記したように、複数の異なるメディアから提供される情報を閲覧・検索するためには、専用のビュアーが必要となる。このため、たとえばインターネット上のＷＷＷページに代表されるＨＴＭＬ形式の情報と、放送されているＭＨＥＧ形式あるいはＸＭＬ形式の情報とを対象に、所望の検索条件で検索しようとしても、各メディア上の情報を一括して検索したり、検索結果を統合して表示することができない。したがって、オペレータは各メディアから配信されている情報の形式を理解し、それぞれ専用のビュアーを用いて別々に検索、表示させなければならなかった。
【０００４】
本発明の目的は、上記した従来技術の問題点を解決し、複数の異なるメディアから多種多様なデータフォーマットで提供される情報を、オペレータにメディアやデータフォーマットの違いを意識させることなく統合して扱えるようにした情報検索表示装置を提供することにある。
【０００５】
【課題を解決するための手段】
上記した目的を達成するために、本発明は、プッシュ型の情報配信媒体から一方的に配信されるプッシュ型情報が入力されるプッシュ型情報用インターフェースと、プル型の情報配信媒体からプル型情報およびその要約が入力されるプル型情報用インターフェースと、前記入力された各プッシュ型情報から、所定の共通フォーマットで記述された要約を抽出する要約抽出手段と、前記抽出した要約を記憶する要約記憶手段と、検索条件を入力する検索条件入力手段と、前記検索条件に合致したプル型情報の、前記所定の共通フォーマットで記述された要約を、前記プル型情報用インターフェースを介して取得する要約取得手段と、前記要約記憶手段に既登録の要約から、前記検索条件に合致した要約を検索する要約検索手段と、前記検索された要約、および前記検索条件に合致してプル型の情報配信媒体から取得した要約を一覧表示する要約一覧表示手段とを具備したことを特徴とする。
【０００６】
上記した特徴によれば、フォーマットや配信方法などが異なり、共通のビュアーでは同様に表示させることができない複数種の情報について、その要約を共通フォーマットで記述し、各情報の要約を単一のビュアーにより一覧表示できるようにしたので、フォーマットや配信方法が異なる各情報の内容を、簡単な構成で検索・表示することが可能になる。
【０００７】
【発明の実施の形態】
以下、図面を参照して本発明を詳細に説明する。図１は、本発明の一実施形態である情報検索表示装置の主要部の構成を示したブロック図であり、ここでは、本発明を車載システムに適用した場合を例にして説明する。
【０００８】
情報インターフェース（Ｉ／Ｆ）１は、通信入出力Ｉ／Ｆ１０１、放送Ｉ／Ｆ１０２およびディスクＩ／Ｆ１０３等の、受信する情報のフォーマットに固有である複数のインターフェースを含む。
【０００９】
前記通信入出力Ｉ／Ｆ１０１は、ユーザの要求に応じた情報を選択的に配信するプル型の情報配信媒体である公衆回線利用の情報提供サービスやインターネットに、有料の無線通信により接続して各種の情報（プル型情報）およびその要約を収集する。前記放送Ｉ／Ｆ１０２は、情報をユーザの要求とは無関係に一方的に無料で配信するプッシュ型の情報配信媒体である放送電波を受信し、各種の情報（プッシュ型情報）およびその要約を収集する。前記ディスクＩ／Ｆ１０３は、プル型の情報配信媒体であるＣＤ−ＲＯＭあるいはＤＶＤ−ＲＯＭといったディスク状の記憶媒体２から、各種の情報（プル型情報）およびその要約を収集する。
【００１０】
ユーザインターフェース（Ｉ／Ｆ）７は、所望の情報を特定するための検索条件がオペレータにより入力される検索条件入力部７０１と、検索条件に合致した要約あるいは情報を表示するディスプレイ７０３と、ディスプレイ７０３に一覧表示された多数の要約の中から、所望の情報に対応した要約を指定する要約指定部７０２とを含む。
【００１１】
なお、本実施形態のユーザＩ／Ｆ７は、ナビゲーションシステム２０、エアコンシステム２１およびオーディオシステム２２の入出力Ｉ／Ｆとしても機能し、各システムを制御するための操作部は、前記検索条件入力部７０１および要約指定部７０２とキースイッチ等の操作系を兼用している。
【００１２】
情報処理部３は、前記情報インターフェース１を介して入力された情報を、記憶装置６の情報記憶領域６０２に記憶・上書きする。本実施形態の情報処理部３は、ＨＴＭＬフォーマットで記述された情報を処理するＨＴＭＬ処理部３０１と、ＸＭＬフォーマットで記述された情報を処理するＸＭＬ処理部３０２と、ＭＨＥＧフォーマットで記述された情報を処理するＭＨＥＧ処理部３０３とを含む。
【００１３】
要約抽出部４は、情報インターフェース１を介して入力された情報に所定の共通フォーマット（例えば、ＸＭＬフォーマット）で記述されている要約を各情報から抽出する。すなわち、本実施形態が取得対象とする情報は、それぞれＨＴＭＬ、ＸＭＬあるいはＭＨＥＧといった固有のフォーマットで記述されているが、各情報には、その内容の概要を示す要約が含まれており、当該要約は共通フォーマットで記述されている。前記要約抽出部４は、復号化された情報から当該共通フォーマットで記述されている要約を抽出して記憶装置６の要約記憶領域６０１に記憶する。
【００１４】
前記ユーザＩ／Ｆ７の検索条件入力部７０１からは、所望の情報を特定するための検索条件がオペレータによって入力される。要約取得部８は、前記検索条件入力部７０１から入力された検索条件に合致した情報の要約を、プル型の情報配信媒体である公衆回線利用の情報提供サービス、インターネットあるいはディスク状の記憶媒体２から、各インターフェース１０１、１０３を介して検索・取得する。
【００１５】
要約検索部９は、前記記憶装置６の要約記憶領域６０１に既登録の要約から、前記検索条件に合致した要約を検索する。要約一覧表示部１０は、前記要約取得部８がプル型の情報配信媒体から新規に取得した要約、および前記要約検索部９が要約記憶領域６０１から検索した要約を統合し、一覧表示形式に変換して表示制御部１１へ出力する。
【００１６】
前記表示制御部１１は、ＨＴＭＬフォーマットで記述された情報（および要約）を表示するためのＨＴＭＬビュアー１１１と、ＸＭＬフォーマットで記述された情報（および要約）を表示するためのＸＭＬビュアー１１２と、ＭＨＥＧフォーマットで記述された情報（および要約）を表示するためのＭＨＥＧビュアー１１３とを含む。表示制御部１１は、前記要約の一覧がＸＭＬフォーマットで記述されていればＸＭＬビュアー１１２を起動し、その一覧をディスプレイ７０３上に表示させる。
【００１７】
ユーザインターフェース７の要約指定部７０２は、ディスプレイ７０３上に一覧表示された要約のいずれかを指定することにより、所望の情報を選択する。情報取得部５は、指定された要約に対応した情報が、前記記憶装置６の情報記憶領域６０２に既登録であれば当該既登録情報を読み出して表示制御部１１へ出力する。また、指定された要約に対応した情報が未登録のプル型情報であれば、前記プル型の情報配信媒体である公衆回線利用の情報提供サービス、インターネットおよびディスク状記憶媒体から、それぞれのインターフェース１０１、１０３を介して新規に検索・取得して表示制御部１１へ出力する。
【００１８】
なお、情報記憶領域６０２に既登録の情報は、最初はプッシュ型の情報配信媒体から一方的に配信されて記憶されたプッシュ型情報のみであるが、上記のようにプル型の情報配信媒体から新規に検索・取得された情報も順次記憶され、以後は既登録の情報として活用される。
【００１９】
次いで、本実施形態による検索動作を、図２のフローチャートを参照して詳細に説明する。なお、本実施形態では、前記通信入出力Ｉ／Ｆ１０１を介して公衆回線利用の情報提供サービスを受けたり、あるいはインターネット上の情報を取得する際に費用（公衆回線やインターネットに接続するための通信費）が発生し、放送Ｉ／Ｆ１０２およびディスクＩ／Ｆを介して情報を取得する際は費用が発生しないものとして説明する。
【００２０】
図示しないメインスイッチが投入されると、ステップＳ１では、プッシュ型の情報配信媒体（本実施形態では、放送）から一方的に配信される情報の受信が開始され、当該情報は放送Ｉ／Ｆ１０２を介して順次入力される。情報処理部３では、入力された各情報のフォーマットに対応した処理部３０１，３０２，３０３が、当該情報を復号化して記憶装置６の情報記憶領域６０２へ順次記憶する。これと平行して、前記要約抽出部４は、受信された情報を復号化し、共通フォーマット（例えば、ＸＬＭフォーマット）で記述された要約を抽出して記憶装置６の要約記憶領域６０１へ記憶する。上記したプッシュ型情報の受信および記憶、ならびにその要約の抽出および記憶は継続的に行われる。
【００２１】
ステップＳ２では、オペレータに選択項目を指定させるため、図３に示したメインメニューが前記ディスプレイ７０３上に表示される。本実施形態のメインメニューには、デジタルテレビの視聴を選択するためのアイコン“デジタルＴＶ”と、コンビニエンスストアの検索を選択するためのアイコン“コンビニ”と、ニュースの視聴を選択するためのアイコン“ニュース”と、駐車場の検索を選択するためのアイコン“駐車場情報”と、交通情報の視聴を選択するためのアイコン“交通情報”と、レストランの検索を選択するためのアイコン“レストランガイド”とが表示されている。
【００２２】
さらに、画面下方には、前記ナビゲーションシステム２０を起動するためのアイコン“ＮＡＶＩ”と、前記エアコン２１の操作画面を表示させるためのアイコン“エアコン”と、前記オーディオ２２の操作画面を表示させるためのアイコン“ＡＵＤＩＯ”と、画面設定用のアイコン“画面設定”と、表示内容を変更するためのアイコン“表示変更”と、アイコン表示を消すためのアイコン“ＳＷを消す”とが表示されている。
【００２３】
ステップＳ３において、オペレータが検索項目として、例えば“レストランガイド”を選択すると、当該処理はレストランを検索するためにステップＳ４へ移行し、“ニュース”が選択されると、後述するステップＳ２０へ進む。なお、その他の項目が選択された場合の動作は、本実施形態で説明する“レストランガイド”あるいは“ニュース”が選択された場合と同様なので、ここでは説明を省略する。
【００２４】
前記“レストランガイド”が選択されると、ステップＳ４ではディスプレイ７０３上に、有料情報の取得を許容するか否かを選択させるメッセージが表示される。オペレータは、公衆回線を利用して提供される情報やインターネット上の情報のように、有料の無線通信を介さなければ取得できない情報も含めて検索対象とする場合には有料情報の取得許可を登録し、無料で配信されている放送、あるいは車載のＣＤ−ＲＯＭやＤＶＤ−ＲＯＭ等に格納されている情報のみを検索対象とする場合には有料情報の取得拒否を登録する。
【００２５】
ステップＳ５では、標準の検索条件に基づいてレストランの検索が実行される。本実施形態においてレストランを検索する際の標準条件は、“経路上”、“イタリア料理”、“一人当たりの予算が三千円”である。なお、“経路上”とは、前記ナビゲーションシステム２０に予め設定してある目的地と現在位置とを結ぶ経路上（およびその近傍）に存在する店のみを検索対象とすることを意味する。
【００２６】
要約の検索が開始されると、前記要約検索部９は、記憶装置６の要約記憶領域６０１に記憶されているレストラン情報の要約を検索する。前記要約取得部８は、インターフェース１を介してレストラン情報の要約を新規に取得する。このとき、有料情報の取得が禁止されていれば、前記要約取得部８は、ディスク入力Ｉ／Ｆ１０３を介してのみ要約を取得し、有料情報の取得が禁止されていなければ、さらに通信入出力Ｉ／Ｆ１０１を介して、公衆回線を利用して提供される要約やインターネット上の要約も取得する。
【００２７】
ステップＳ６では、前記要約検索部９により検索された要約、および前記要約取得部８により新規に取得された要約が、前記要約一覧表示部１０において一覧形式に変換され、表示制御部１１により、図４に示したように、検索結果リストとしてディスプレイ７０上に表示される。
【００２８】
この検索結果リストには、レストラン名や現在位置からの距離と共に、その料理の国籍、すなわち日本料理かイタリア料理なのかが当該国の国旗を併記することで示されている。また、画面の上隅には、今回の検索条件である“経路上”、“イタリア料理”、“３千円”および“もっている（すなわち、無料の情報のみを検索対象とする旨）”が表示されている。
【００２９】
ステップＳ７では、オペレータが表示画面を参照し、詳細情報を閲覧したいレストランがリストアップされているか否かを判断する。所望のレストランがリストアップされていなければ、検索条件を変更する画面を表示させるためのアイコン“探す条件変更”をクリックする。ステップＳ８では、図５に示したように、検索条件を設定・変更するための画面がディスプレイ７０３上に表示される。オペレータは、「探す地点」、「料理の種類」、「予算の目安」および検索範囲（有料情報／無料情報）を変更する。
【００３０】
このとき、オペレータが検索条件として“持っている情報”の条件を解除すると、ステップＳ９では、有料情報の取得を許容するか否かを選択させる表示が表れる。ステップＳ１０では、変更された検索条件に基づいて再び検索が実行される。
【００３１】
その後、前記ステップＳ６において、詳細に閲覧したいレストランがリストアップされており、ステップＳ１１において、オペレータが所望の要約を選択・指定すると、ステップＳ１２では、図６に示したように、選択された要約の全内容がディスプレイ７０３上に表示される。
【００３２】
ステップＳ１３では、当該レストランの詳細情報が要求されているか否かが判別され、図６のアイコン“詳細情報”が操作されると、ステップＳ１４では、当該情報が記憶装置６の情報記憶領域６０２に既登録であるか否かが判定され、既登録であれば、ステップＳ１５において、情報取得部５によって情報記憶領域６０２が検索される。また、要求された情報が情報記憶領域６０２に未登録であると、情報取得部５は、ステップＳ１６においてインターフェース１を介して外部から情報を取得する。取得された情報は、ステップＳ１７において前記情報記憶領域６０２に記憶され、これ以後は既登録の情報として活用される。
【００３３】
ステップＳ１８では、前記検索または新規に取得された情報が情報取得部５から表示制御部１１へ送られ、当該情報のフォーマットに応じたビュアーによりディスプレイ７０３に出力される。すなわち、表示しようとする情報がＨＴＭＬのフォーマットで記述されていれば、ＨＴＭＬ表示ビュアー１１１によって処理される。
【００３４】
図７は、前記情報の表示例を示した図であり、選択したレストランの情報として、紹介文、店内の見取図および写真などが表示される。また、当該レストランがホームページを所有していれば、当該ホームページにリンクするためのアイコンも表示される。
【００３５】
さらに、登録されている情報は一種類に限らず、本実施形態では画面下のアイコン“簡易地図表示”を選択すれば、図８に示したように、当該レストランの所在地を示す簡易地図が表示される。
【００３６】
次いで、前記メインメニューにおいて“ニュース”が選択された場合の動作を説明する。
【００３７】
前記ステップＳ３において、選択項目として“ニュース”が指定されると、ステップＳ２０では、図９に示したように、トピック選択画面が表示される。本実施形態では、“社会”、“経済”、“国際”、“政治”、“スポーツ”および“全ジャンル”の６つが用意されている。ステップＳ２１においてオペレータが所望のトピックを指定すると、ステップＳ４、５では前記と同様の処理が実行される。本実施形態では、トピックとして“社会”が選択されたものとして説明する。
【００３８】
ステップＳ６では、図１０に示したように、トピック“社会”の要約（見出し）が、ディスプレイ７０３上に一覧表示される。その後、ステップＳ１１において、見出し“３０品目に表示義務”が選択されると、ステップＳ１２において、当該トッピックの全要約が、図１１に示したように表示される。ここで、図１０のアイコン“詳細情報”がオペレータにより操作されると、ステップＳ１８において、その情報が、図１２に示したようにディスプレイ７０３上に表示される。
【００３９】
【発明の効果】
本発明によれば、フォーマットや配信方法などが異なり、共通のビュアーでは同様に表示させることができない複数種の情報について、その要約を共通フォーマットで記述し、各情報の要約を単一のビュアーにより一覧表示できるようにしたので、フォーマットや配信方法が異なる各情報の内容を、簡単な構成で検索・表示することが可能になる。
【００４０】
また、一覧表示された要約の中から、所望の情報に対応した要約を指定すると、当該情報に固有の閲覧用ビュアーが自動的に選択されて当該情報を表示するので、オペレータは各情報のフォーマットを意識することなく、全ての情報を同様の手順で閲覧することができる。
【図面の簡単な説明】
【図１】本発明の一実施形態である情報検索表示装置の主要部の構成を示したブロック図である。
【図２】本実施形態の動作を示したフローチャートである。
【図３】メインメニューの表示例を示した図である。
【図４】要約の一覧表示例を示した図である。
【図５】検索条件変更画面の表示例を示した図である。
【図６】選択された要約の表示例を示した図である。
【図７】選択された要約に対応した情報の表示例を示した図である。
【図８】情報の一部である簡易地図の表示例を示した図である。
【図９】トピック選択画面の表示例を示した図である。
【図１０】要約の一覧表示例を示した図である。
【図１１】選択された要約の表示例を示した図である。
【図１２】選択された要約に対応した情報の表示例を示した図である。
【符号の説明】
１…情報インターフェース，３…情報処理部，４…要約抽出部，５…情報取得部，６…記憶装置，７…ユーザインターフェース，８…要約取得部，９…要約検索部，２０…ナビゲーションシステム，２１…エアコンシステム，２２…オーディオシステム
【図１】
0003816712.tif 000002
【図２】
0003816712.tif 000003
【図３】
0003816712.tif 000004
【図４】
0003816712.tif 000005
【図５】
0003816712.tif 000006
【図６】
0003816712.tif 000007
【図７】
0003816712.tif 000008
【図８】
0003816712.tif 000009
【図９】
0003816712.tif 000010
【図１０】
0003816712.tif 000011
【図１１】
0003816712.tif 000012
【図１２】
0003816712.tif 000013